(57)【特許請求の範囲】
【請求項１】
画像を取得する情報装置と前記情報装置から受信した画像を表示する表示装置とを有する表示システムであって、
前記情報装置は、
前記表示装置に表示させる画像を取得する取得部と、
前記取得した画像毎に汎用性を示すパラメタの値を設定する設定部と、
前記表示装置との連携が解消した場合に前記表示装置に表示させる画像を前記設定部によって設定されたパラメタの値に基づいて選択する選択部と、
前記取得部によって取得された画像のうち前記表示装置から要求された画像と、前記選択部によって選択された画像とを前記表示装置に送信する送信部と、
を有し、
前記表示装置は、
前記情報装置に要求した画像と前記情報装置により選択された画像とを受信する受信部と、
前記要求した画像を第一記憶部に格納する第一格納部と、
前記選択された画像を第二記憶部に格納する第二格納部と、
前記第一記憶部が記憶する画像を表示する表示部と、
前記情報装置との連携が解消された場合に、前記表示部に表示されている画像を前記第二記憶部が記憶する画像に切替える切替え部と
を有することを特徴とする表示システム。
【請求項２】
前記情報装置が有する前記設定部は、前記取得した画像毎に画像の入手経路、表示時間、参照回数のうち少なくとも１つを用いて算出される値に基づいて汎用性を示すパラメタの値を設定することを特徴とする請求項１に記載の表示システム。
【請求項３】
前記情報装置が有する前記設定部は、利用者から受付けた値に基づいて汎用性を示すパラメタの値を設定することを特徴とする請求項１に記載の表示システム。
【請求項４】
表示装置に表示させる画像を取得する取得部と、
前記取得した画像毎に汎用性を示すパラメタの値を設定する設定部と、
前記表示装置との連携が解消した場合に前記表示装置に表示させる画像を前記設定部によって設定されたパラメタの値に基づいて選択する選択部と、
前記取得部によって取得された画像のうち前記表示装置から要求された画像と、前記選択部によって選択された画像とを前記表示装置に送信する送信部と
を有することを特徴とする情報装置。
【請求項５】
情報装置に要求した画像と前記情報装置により選択された画像とを受信する受信部と、
前記要求した画像を第一記憶部に格納する第一格納部と、
前記選択された画像を第二記憶部に格納する第二格納部と、
前記第一記憶部が記憶する画像を表示する表示部と、
前記情報装置との連携が解消された場合に、前記表示部に表示されている画像を前記第二記憶部が記憶する画像に切替える切替え部と
を有することを特徴とする表示装置。
【請求項６】
コンピュータに、
表示装置に表示させる画像を取得させる処理と、
前記取得された画像毎に汎用性を示すパラメタの値を設定させる処理と、
前記表示装置との連携が解消した場合に前記表示装置に表示させる画像を前記設定したパラメタの値に基づいて選択させる処理と、
前記取得された画像のうち前記表示装置から要求された画像と、前記選択された画像とを前記表示装置に送信させる処理と
を実行させることを特徴とする画像選択プログラム。
【請求項７】
画像を取得する情報装置と前記情報装置から受信した画像を表示する表示装置とを有する表示システムにおける表示方法であって、
前記情報装置が、
前記表示装置に表示させる画像を取得する手順と、
前記取得した画像毎に汎用性を示すパラメタの値を設定する手順と、
前記表示装置との連携が解消した場合に前記表示装置に表示させる画像を前記設定されたパラメタの値に基づいて選択する手順と、
前記取得された画像のうち前記表示装置から要求された画像と、前記選択された画像とを前記表示装置に送信する手順と、
前記表示装置が、
前記情報装置に要求した画像と前記情報装置により選択された画像とを受信する手順と、
前記要求した画像を第一記憶部に格納する手順と、
前記選択された画像を第二記憶部に格納する手順と、
前記第一記憶部が記憶する画像を表示する手順と、
前記情報装置との連携が解消された場合に、前記表示されている画像を前記第二記憶部が記憶する画像に切替える手順と
を含んだことを特徴とする表示方法。
【発明の詳細な説明】
【技術分野】
【０００１】
本発明は、表示システム、情報装置、表示装置、画像選択プログラム及び表示方法に関する。
【背景技術】
【０００２】
電子ペーパーは、表示された画像を書き換える時および表示させる画像のデータを入出力する時に電力を消費し、画像を画面に表示している間は電力を消費しないことから、省エネルギーな表示デバイスとして有望視されている。また、電子ペーパーは、軽量化、薄型化されているので、利用者にとって持ち運びが容易な表示デバイスである。
【０００３】
このような電子ペーパーの省電力特性、携帯容易性を活用した利用法として、外部と無線通信が可能な携帯端末と電子ペーパーとを連携させる情報通信システムがある。このような情報通信システムにおいて、電子ペーパーは、表示内容を一時的に記憶する揮発性のメモリを有し、携帯端末から送信されたデータを表示する表示装置として利用される。
【０００４】
一方で、電子ペーパーは、一度表示した画像が書き換えられるまで同じ画像を表示し続ける。すなわち、電子ペーパーには表示画像が残るので、表示画像の内容によっては、表示を中止することが望ましい場合がある。例えば、会議で使用した資料など秘匿性の高い画像や、個人的にやりとりしたメールなどプライバシーに関わる画像は、閲覧後に表示を中止することが望ましい。このようなことから、一定時間を経過した後に、表示されている画像を消す方法が知られている。
【先行技術文献】
【特許文献】
【０００５】
【特許文献１】特開２００９−１７５２４６号公報
【特許文献２】特開２００６−１５７７２５号公報
【発明の概要】
【発明が解決しようとする課題】
【０００６】
しかしながら、上述した従来の技術では、連携が解消した場合、表示画像を選択することができないという課題があった。
【０００７】
電子ペーパーは、携帯端末から送信された画像を表示する。このため、携帯端末との連携が解消された場合、電子ペーパーは、画像を受信することができず、すでに表示している画像を表示し続ける。したがって、電子ペーパーは、表示画像を選択することができない。
【０００８】
また、電子ペーパーの電力がなくなった場合も携帯端末との連携が解消する。この場合、携帯端末は、電子ペーパーに画像を送信することができない。すなわち、電子ペーパーは、すでに表示している画像を表示し続ける。したがって、電子ペーパーは、表示画像を選択することができない。
【０００９】
また、表示されている画像を消す方法は、電子ペーパーが有する表示特徴を著しく阻害するものである。さらに、この場合、画像自体を表示しないので、画像を選択して表示することができない。
【００１０】
１つの側面では、連携が解消した場合、表示画像を選択することができる表示システム、情報装置、表示装置、画像選択プログラム及び表示方法を提供することを目的とする。
【課題を解決するための手段】
【００１１】
第１の案では、画像を取得する情報装置と情報装置から受信した画像を表示する表示装置とを有する表示システムである。情報装置は、取得部と、設定部と、選択部と、送信部とを有する。取得部は、表示装置に表示させる画像を取得する。設定部は、取得した画像毎に汎用性を示すパラメタの値を設定する。選択部は、表示装置との連携が解消した場合に前記表示装置に表示させる画像を前記設定部によって設定されたパラメタの値に基づいて選択する。送信部は、取得部によって取得された画像のうち表示装置から要求された画像と、選択部によって選択された画像とを表示装置に送信する。表示装置は、受信部と、第一格納部と、第二格納部と、表示部と、切替え部とを有する。受信部は、情報装置に要求した画像と情報装置により選択された画像とを受信する。第一格納部は、要求した画像を第一記憶部に格納する。第二格納部は、選択された画像を第二記憶部に格納する。表示部は、第一記憶部が記憶する画像を表示する。切替え部は、情報装置との連携が解消された場合に、表示部に表示されている画像を第二記憶部が記憶する画像に切替える。
【発明の効果】
【００１２】
連携が解消した場合、表示画像を選択することができる。
【図面の簡単な説明】
【００１３】
【図１】図１は、実施例１に係る表示システムの構成を示すブロック図である。
【図２】図２は、画像属性ＤＢに格納されるデータの一例を示す図である。
【図３】図３は、実施例１に係る表示システムによる処理の処理手順を説明するフローチャートである。
【図４】図４は、汎用パラメタ算出処理の処理手順を説明するフローチャートである。
【図５】図５は、実施例２に係る表示システムの構成を示すブロック図である。
【図６】図６は、実施例２に係る表示システムによる処理の処理手順を説明するフローチャートである。
【図７】図７は、実施例３に係る表示システムの構成を示すブロック図である。
【図８】図８は、実施例３に係る表示システムによる処理の処理手順を説明するフローチャートである。
【図９】図９は、画像選択プログラムを実行するコンピュータを示す図である。
【図１０】図１０は、画像切替プログラムを実行するコンピュータを示す図である。
【発明を実施するための形態】
【００１４】
以下に、本願の開示する表示システム、情報装置、表示装置、画像選択プログラム及び表示方法の実施例を図面に基づいて詳細に説明する。なお、この実施例によりこの発明が限定されるものではない。そして、各実施例は、処理内容を矛盾させない範囲で適宜組み合わせることが可能である。
【実施例１】
【００１５】
実施例１では、表示システムの構成、通信端末の構成、表示端末の構成、処理の処理手順、実施例１による効果を順に説明する。
【００１６】
［実施例１に係る表示システムの構成］
まず、図１を用いて、実施例１に係る表示システム１０の構成を説明する。図１は、実施例１に係る表示システムの構成を示すブロック図である。図１に示すように、表示システム１０は、画像を取得する通信端末２０と、通信端末２０から受信した画像を表示する表示端末３０とを有する。表示システム１０において、通信端末２０と表示端末３０とは無線通信によって接続される。また、通信端末２０は、図示しない外部の装置と通信可能である。
【００１７】
通信端末２０は、表示端末３０に表示させる画像を外部の装置から取得する。通信端末２０は、取得した画像毎に汎用性を示すパラメタの値を設定する。通信端末２０は、表示端末３０との連携が解消した場合に表示端末３０に表示する画像を設定されたパラメタの値に基づいて選択する。通信端末２０は、外部の装置から取得した画像のうち表示端末３０から要求された画像と選択した画像とを表示端末３０に送信する。なお、通信端末２０は、情報装置の一例である。
【００１８】
表示端末３０は、通信端末２０に要求した画像と通信端末２０により選択された画像とを通信端末２０から受信する。表示端末３０は、要求した画像を後述する表示画像バッファ３４に格納し、選択された画像を後述する汎用表示画像バッファ３５に格納する。表示端末３０は、表示画像バッファ３４が記憶する画像を表示し、通信端末２０との連携が解消された場合に、表示されている画像を汎用表示画像バッファ３５が記憶する画像に切替える。なお、表示端末３０は、表示装置の一例である。
【００１９】
［通信端末２０の構成］
次に、図１に示した通信端末２０の構成を説明する。通信端末２０は、記憶部２１、第一通信部２２、第二通信部２３、入力部２４、出力部２５、画像送信部２６、汎用性パラメタ計算部２７、汎用画像送信部２８を有する。
【００２０】
記憶部２１は、例えば、半導体メモリ素子、又はハードディスク、ＳＤメモリーカードなどの記憶装置であり、取得画像ＤＢ２１ａと画像属性ＤＢ２１ｂとを有する。取得画像ＤＢ２１ａは、無線通信回線によって外部の装置から受信した画像データなどの各種情報を記憶する。
【００２１】
画像属性ＤＢ２１ｂは、取得した画像と画像の属性とを対応付けて記憶する。図２を用いて画像属性ＤＢ２１ｂに格納されるデータの一例を説明する。図２は、画像属性ＤＢに格納されるデータの一例を示す図である。図２に示すように画像属性ＤＢ２１ｂは、「画像ＩＤ、取得属性、送信回数、表示時間、汎用性パラメタ」を対応付けて記憶する。
【００２２】
ここで、画像属性ＤＢ２１ｂが記憶する「画像ＩＤ」には、画像を一意に識別する識別子として、例えば、「xxx1」、「xxx2」、「xxx3」などが格納される。「取得属性」には、画像を取得した由来を特定する情報として、例えば、「カメラ画像」、「公開サイト」、「セキュリティサイト」などが格納される。「送信回数」には、画像を表示端末に送信した回数を示す値として、例えば、「20」、「13」、「1」などが格納される。「表示時間」には、表示端末３０に画像を表示させた累積時間を示す値として、例えば、「25」、「3」、「10」などが格納される。「汎用性パラメタ」には、画像の汎用性を示す値として、「500」、「39」、「0」などが格納される。ここでいう「画像の汎用性」とは、画像の秘匿性が低いことを示す。
【００２３】
図２に示す例では、画像ＩＤが「xxx1」で識別される画像は、表示端末３０に２０回送信され、２５分表示されたカメラ画像であり、汎用性パラメタが５００であることを示す。同様に、画像ＩＤが「xxx2」で識別される画像は、表示端末３０に１３回送信され、３分表示された公開サイトから取得した画像であり、汎用性パラメタが３９であることを示す。また、画像ＩＤが「xxx3」で識別される画像は、表示端末３０に１回送信され、１０分表示されたセキュリティサイトから取得した画像であり、汎用性パラメタが０であることを示す。
【００２４】
図１に戻り、第一通信部２２は、少なくとも１つの通信ポートを有するインターフェースを有し、他の装置との間でやり取りされる情報を制御する。第一通信部２２は、表示端末３０と例えばBluetooth（登録商標）などの無線通信によって、互いに通信可能となるように接続される。
【００２５】
例えば、第一通信部２２は、表示端末３０から画像を要求する信号を受信し、表示端末３０に要求された画像を送信する。また、第一通信部２２は、汎用画像送信部２８から受信した選択画像を表示端末３０に送信する。
【００２６】
第二通信部２３は、少なくとも１つの通信ポートを有するインターフェースを有し、他の装置との間でやり取りされる情報を制御する。例えば、第二通信部２３は、ＬＡＮ（Local  Area  Network）を介して情報サーバなどと互いに通信可能となるように接続される。
【００２７】
入力部２４は、利用者から各種情報や操作指示を受付けるための入力デバイスであり、例えば、キーボード、マウス、十字キー、タッチパネルなどである。例えば、入力部２４は、画像を表示端末３０に送信する操作を利用者から受付ける。
【００２８】
出力部２５は、各種情報を出力する出力デバイスであり、例えば、液晶ディスプレイなどである。出力部２５は、画像送信部２６によって取得された画像を出力する。この結果、利用者は、取得した画像が目的のものであるか否かを確認する。
【００２９】
画像送信部２６は、表示端末３０に表示させる画像を取得し、取得した画像のうち表示端末３０から要求された画像を表示端末３０に送信する。例えば、画像送信部２６は、入力部２４を介して画像の取得を受付けた場合、第二通信部２３を介して、画像を取得し、取得した画像を取得画像ＤＢ２１ａに格納する。画像送信部２６は、取得した画像の取得方法を参照し、画像属性ＤＢ２１ｂの「取得属性」に格納する。また、画像送信部２６は、第二通信部２３を介して取得した画像を出力部２５に出力する。
【００３０】
画像送信部２６は、あらかじめ設定された表示端末の仕様に合わせた画像を生成する。例えば、画像送信部２６は、ＸＧＡ（Extended  Graphics  Array）、１０２４×７６８ピクセル、４０９６色表示に調整した画像を生成する。そして、画像送信部２６は、表示端末３０から画像を要求する信号を受信した場合、作成した表示画像のうち要求された画像を表示端末３０に第一通信部２２を介して送信する。画像送信部２６は、例えば、ＡＳＩＣ（Application  Specific  Integrated  Circuit）やＦＰＧＡ（Field  Programmable  Gate  Array）などの集積回路、又は、ＣＰＵ（Central  Processing  Unit）やＭＰＵ（Micro  Processing  Unit）などの電子回路である。なお、画像送信部２６は、取得部、送信部の一例である。
【００３１】
汎用性パラメタ計算部２７は、画像送信部２６によって取得された画像毎に汎用性を示すパラメタの値を設定する。例えば、汎用性パラメタ計算部２７は、通信端末２０内に記憶された画像または、表示端末の要求に応答して第二通信部２３を介して取得した画像の汎用性パラメタの値を設定する。ここでいう「汎用性パラメタ」は、汎用性を示すパラメタのことを示す。汎用性パラメタ計算部２７は、画像を取得する度に取得画像に汎用性パラメタを付与してもよく、また、所定の間隔で画像に汎用性パラメタを付与してもよい。
【００３２】
次に、汎用性パラメタ計算部２７による汎用性パラメタ設定方法の一例を示す。汎用性パラメタ計算部２７は、「画像の入手経路」、「通信端末側での表示時間」、「参照回数により計算されるセキュリティ順位」の少なくともいずれか１つを用いて、汎用性パラメタを計算する。本実施例では、汎用性パラメタ計算部２７が、汎用性パラメタＧを式（１）「Ｇ＝Ｘ×αＮ×Ｍ」から算出する場合を説明する。ここで、Ｘは、セキュリティレベルを示し、Ｎは、送信回数を示し、Ｍは、表示継続時間を示す。また、αは、重みパラメタであり、例えば、参照回数が高い画像をより多く表示する場合には、大きな値に設定される。汎用性パラメタ計算部２７は、算出した汎用性パラメタの値を画像属性ＤＢ２１ｂの「汎用性パラメタ」に格納する。
【００３３】
汎用性パラメタ計算部２７は、入手元パラメタをＸに設定する。ここで、汎用性パラメタ計算部２７は、セキュリティレベルが高い場合「Ｘ＝０」に設定する。例えば、セキュリティレベルが高い入手元には、メール、ＰＩＭ（Personal  Information  Manager）、セキュリティ内サイトなどが挙げられる。また、汎用性パラメタ計算部２７は、公開サイトから入手した場合、「Ｘ＝１」に設定する。また、汎用性パラメタ計算部２７は、ＤＲＭ（Digital  Rights  Management）管理サイトから入手した場合、取得した画像に応じてＸを任意に設定する。
【００３４】
また、汎用性パラメタ計算部２７は、画像を、通信端末から表示端末に送信した回数を参照回数Ｎとして計測し、計測した値を画像属性ＤＢ２１ｂの「送信回数」に格納する。
【００３５】
また、汎用性パラメタ計算部２７は、表示画像の送信時間から次の送信時間までを表示継続時間Ｍとして計測し、計測した値を画像属性ＤＢ２１ｂの「表示時間」に格納する。ここで、表示継続時間Ｍは、表示時間を単位時間で除することによって算出される。なお、単位時間は例えば１分間である。
【００３６】
汎用性パラメタ計算部２７は、例えば、ＡＳＩＣやＦＰＧＡなどの集積回路、又は、ＣＰＵやＭＰＵなどの電子回路である。なお、汎用性パラメタ計算部２７は、設定部の一例である。
【００３７】
汎用画像送信部２８は、表示端末３０との連携が解消した場合に表示端末３０に表示させる画像を汎用性パラメタ計算部２７によって設定されたパラメタの値に基づいて選択し、選択した画像を表示端末３０に送信する。
【００３８】
汎用画像送信部２８は、画像送信部２６によって表示端末３０から要求された表示画像が送信された場合、画像属性ＤＢ２１ｂの「汎用性パラメタ」の値を検索し、「汎用性パラメタ」が最も高い画像を選択する。図２に示す例では、汎用画像送信部２８は、画像ＩＤが「xxx1」で識別される画像を汎用性パラメタが最も高い画像に選択する。
【００３９】
また、汎用画像送信部２８は、画像送信部２６と同様にして、選択した画像を汎用表示画像として生成する。例えば、汎用画像送信部２８は、ＸＧＡ（Extended  Graphics  Array）、１０２４×７６８ピクセル、４０９６色表示に調整した汎用表示画像を生成する。
【００４０】
汎用画像送信部２８は、生成した汎用表示画像を表示端末３０に第一通信部２２を介して送信する。ここで、汎用画像送信部２８は、表示端末３０から要求された画像を送信する度に汎用表示画像を送信してもよく、また、表示端末３０から要求された画像を送信する際に、汎用性パラメタが最も高い画像が更新されている場合に汎用表示画像を送信してもよい。汎用画像送信部２８は、例えば、ＡＳＩＣやＦＰＧＡなどの集積回路、又は、ＣＰＵやＭＰＵなどの電子回路である。なお、汎用画像送信部２８は、選択部、送信部の一例である。
【００４１】
［表示端末３０の構成］
次に、図１に示した表示端末３０の構成を説明する。表示端末３０は、電子ペーパー３１、頁書換スイッチ３２、通信部３３、表示画像バッファ３４、汎用表示画像バッファ３５、表示タイマー３６、書換制御部３７を有する。
【００４２】
電子ペーパー３１は、例えば、表示デバイスであり、書換制御部３７から出力された画像を表示する。例えば、電子ペーパー３１は、表示画像バッファ３４が記憶する画像を表示する。また、電子ペーパー３１は、汎用表示画像バッファ３５が記憶する汎用性画像を表示する。なお、電子ペーパー３１は、表示部の一例である。
【００４３】
頁書換スイッチ３２は、例えば、十字キーやボタンであり、利用者からページの切替えを受付ける。頁書換スイッチ３２は、利用者からページの切替を受付けた場合、利用者からページの切替を受付けたことを通信部３３に通知する。
【００４４】
通信部３３は、少なくとも１つの通信ポートを有するインターフェースを有し、通信端末２０との間でやり取りされる情報を制御する。通信部３３は、通信端末２０と例えばBluetooth（登録商標）などの無線通信によって、互いに通信可能に接続される。例えば、通信部３３は、通信部３３は、頁書換スイッチ３２を介して利用者からページの切替えを受付けた場合、通信端末２０に画像を要求する信号を送信する。
【００４５】
通信部３３は、通信端末２０に要求した画像を通信端末２０から受信し、受信した要求画像を表示画像バッファ３４に格納する。また、通信部３３は、通信端末２０により選択された汎用性画像を通信端末２０から受信し、受信した汎用性画像を汎用表示画像バッファ３５に格納する。なお、通信部３３は、第一格納部、第二格納部の一例である。
【００４６】
表示画像バッファ３４は、一時的に１画素以上の画像を記憶可能なバッファメモリであり、要求画像を記憶する。なお、表示画像バッファ３４は、第一記憶部の一例である。汎用表示画像バッファ３５は、通信端末２０から送信された汎用性パラメタが最も高い画像を汎用表示画像として一時的に記憶する。なお、汎用表示画像バッファ３５は、第二記憶部の一例である。表示タイマー３６は、表示画像が表示されている時間を計測し、表示画像が表示されている時間が所定の時間を経過した場合、書換制御部３７に所定の時間が経過したことを通知する。
【００４７】
書換制御部３７は、表示画像バッファ３４に記憶された画像を読み出して、電子ペーパー３１に出力する。例えば、書換制御部３７は、表示画像バッファ３４を監視し、記憶される画像が更新された場合、更新された画像を読み出して、電子ペーパー３１に出力する。
【００４８】
また、書換制御部３７は、通信端末２０との連携が解消された場合に、電子ペーパー３１に表示されている画像を汎用表示画像バッファ３５が記憶する画像に切替える。例えば、書換制御部３７は、表示タイマー３６から表示画像が表示されている時間が所定の時間を経過したことを通知された場合、通信端末２０との連携が解消されたと判定する。書換制御部３７は、汎用表示画像バッファ３５に記憶された汎用性画像を読み出して、読み出した汎用性画像を電子ペーパー３１に出力する。すなわち、書換制御部３７は、通信端末２０との連携が解消された場合に、電子ペーパー３１に表示されている画像を汎用表示画像バッファ３５に記憶されている汎用性画像に切替える。書換制御部３７は、例えば、ＡＳＩＣやＦＰＧＡなどの集積回路、又は、ＣＰＵやＭＰＵなどの電子回路である。なお、書換制御部３７は、切替部の一例である。
【００４９】
［処理手順］
次に、図３を用いて、実施例１に係る表示システムによる処理の処理手順を説明する。図３は、実施例１に係る表示システムによる処理の処理手順を説明する図である。なお、この処理は、通信端末２０が利用者から表示コンテンツの取得を受付けたことを契機に開始する。
【００５０】
図３に示すように、通信端末２０は、外部の装置から表示コンテンツを取得する（ステップＳ１０１）。通信端末２０は、取得した表示コンテンツの取得履歴、取得方法を参照する（ステップＳ１０２）。例えば、通信端末２０は、取得した画像の取得方法を参照し、画像属性ＤＢ２１ｂの「取得属性」に格納する。
【００５１】
通信端末２０は、表示端末用の画像を作成する（ステップＳ１０３）。また、通信端末２０は、汎用性パラメタの算出処理を実行する（ステップＳ１０４）。通信端末２０は、算出した汎用性パラメタを画像に付与し（ステップＳ１０５）、画像属性ＤＢ２１ｂの「汎用性パラメタ」に算出した値を格納する。
【００５２】
続いて、表示端末３０は、利用者からページの切替を受付けた場合、通信端末２０に画像を要求する（ステップＳ１０６）。通信端末２０は、要求信号を受信し（ステップＳ１０７）、要求された画像を送信する（ステップＳ１０８）。また、通信端末２０は、汎用性パラメタが上位の画像を選択し、選択した画像を汎用性画像として表示端末３０に送信する（ステップＳ１０９）。
【００５３】
表示端末３０は、要求した画像を受信し（ステップＳ１１０）、受信した要求画像を表示する（ステップＳ１１１）。また、表示端末３０は、汎用性画像を通信端末２０から受信する（ステップＳ１１２）。表示端末３０は、タイマーを参照し（ステップＳ１１３）、所定の時間が経過した場合に、画像を汎用性画像に切換えて表示する（ステップＳ１１４）。
【００５４】
次に、図４を用いて、汎用性パラメタ計算部２７による汎用パラメタ算出処理の処理手順を説明する。図４は、汎用パラメタ算出処理の処理手順を説明するフローチャートである。図４に示すように、汎用性パラメタ計算部２７は、画像入手元をチェックする（ステップＳ２０１）。また、汎用性パラメタ計算部２７は、画像の参照回数をチェックする（ステップＳ２０２）。続いて、汎用性パラメタ計算部２７は、表示時間をチェックする（ステップＳ２０３）。そして、汎用性パラメタ計算部２７は、汎用パラメタを計算し（ステップＳ２０４）、処理を終了する。
【００５５】
［実施例１の効果］
上述してきたように、本実施例に係る表示システム１０では、表示端末の表示タイマー３６が所定の時間が経過した場合に、通信端末２０と表示端末３０との連携が解消したと判定する。そして、表示端末３０は、表示画像を汎用画像に切替える。したがって、本実施例に係る表示システムは、連携が解消した場合でも、表示端末３０において画像を選択することができる。この結果、表示システム１０は、秘匿性の高い画像を表示していた場合でも、所定の時間が経過後には連携が解消したと判定されて汎用性画像が表示されるので、秘匿性の高い画像を表示し続けることを防止できる。
【実施例２】
【００５６】
実施例１では、表示端末３０がタイマーを有し、所定時間を経過した場合、表示画像を汎用性画像に切替えるものとして説明した。ところで、表示端末は、所定時間を経過する前に、通信端末との通信が解消する場合がある。この場合、表示端末は、所定時間を経過する前に、表示画像を汎用性画像に切換えてもよいものである。そこで、実施例２では、表示端末は、所定時間を経過する前に、通信端末との通信が解消した場合、表示端末が表示する表示画像を汎用性画像に切替える例を説明する。
【００５７】
［実施例２に係る表示システムの構成］
図５を用いて、実施例２に係る表示システム４０の構成を説明する。図５は、実施例２に係る表示システムの構成を示すブロック図である。実施例２に係る表示システム４０は、表示端末５０と通信端末２０とを有する。なお、ここでは、図１に示した各部と同様の役割を果たす機能部については、同一符号を付すことにしてその詳細な説明を省略する。
【００５８】
［表示端末５０の構成］
表示端末５０は、電子ペーパー３１、頁書換スイッチ３２、表示画像バッファ３４、汎用表示画像バッファ３５、表示タイマー３６、書換制御部３７、通信部５３を有する。なお、ここでは、図１に示した各部と同様の役割を果たす機能部については、同一符号を付すことにしてその詳細な説明を省略する。
【００５９】
通信部５３は、実施例１で説明した通信部３３が有する機能に加え、さらに以下の機能を有する。例えば、通信部５３は、通信端末２０との通信状態を監視し、通信が解消されたか否かを判定する。通信部５３は、通信が解消されたと判定した場合、書換制御部３７に、通信端末２０との通信が解消されたことを通知する。この結果、書換制御部３７は、連携が解消されたと判定し、汎用表示画像バッファ３５に記憶されている汎用性画像を読み出して、電子ペーパー３１に表示させる。
【００６０】
［処理手順］
次に、図６を用いて、実施例２に係る表示システム４０による処理の処理手順を説明する。図６は、実施例２に係る表示システムによる処理の処理手順を説明する図である。なお、この処理は、通信端末２０が利用者から表示コンテンツの取得を受付けたことを契機に開始する。
【００６１】
図６に示すように、通信端末２０は、外部の装置から表示コンテンツを取得する（ステップＳ３０１）。通信端末２０は、取得した表示コンテンツの取得履歴、取得方法を参照する（ステップＳ３０２）。例えば、通信端末２０は、取得した画像の取得方法を参照し、画像属性ＤＢ２１ｂの「取得属性」に格納する。
【００６２】
通信端末２０は、表示端末用の画像を作成する（ステップＳ３０３）。また、通信端末２０は、汎用性パラメタの算出処理を実行する（ステップＳ３０４）。通信端末２０は、算出した汎用性パラメタを画像に付与し（ステップＳ３０５）、画像属性ＤＢ２１ｂの「汎用性パラメタ」に算出した値を格納する。
【００６３】
続いて、表示端末５０は、利用者からページの切替を受付けた場合、通信端末２０に画像を要求する（ステップＳ３０６）。通信端末２０は、要求信号を受信し（ステップＳ３０７）、要求された画像を送信する（ステップＳ３０８）。また、通信端末２０は、汎用性パラメタが上位の画像を選択し、選択した画像を汎用性画像として表示端末５０に送信する（ステップＳ３０９）。
【００６４】
表示端末５０は、要求した画像を受信し（ステップＳ３１０）、受信した要求画像を表示する（ステップＳ３１１）。また、表示端末５０は、汎用性画像を通信端末２０から受信する（ステップＳ３１２）。表示端末５０は、通信端末２０との通信が解消されたか否かを判定し（ステップＳ３１３）、通信が解消されたと判定した場合（ステップＳ３１３、Ｙｅｓ）、画像を汎用性画像に切換えて表示する（ステップＳ３１４）。一方、表示端末５０は、通信が解消されていないと判定した場合（ステップＳ３１３、Ｎｏ）、引き続き、通信端末２０との通信が解消されたか否かを判定する。
【００６５】
［実施例２の効果］
上述してきたように、本実施例に係る表示システム４０では、通信状態を監視し、通信が解消されたか否かを判定することで、通信端末２０と表示端末５０との連携が解消したか否かを判定する。そして、表示システム４０は、通信が解消された場合、通信端末２０と表示端末５０との連携が解消したと判定し、汎用表示画像バッファ３５に記憶されている画像を電子ペーパー３１に表示させる。すなわち、表示システム４０は、連携が解消した場合、表示画像を選択することができる。
【実施例３】
【００６６】
実施例２では、表示端末５０と通信端末２０との通信状態を検出することで、無線通信の連携が解消したか否かを判定した。ところで、無線通信が連携した状態であっても、通信端末から利用者が離れた場所に移動した場合、表示端末が表示する画像を切換えた方が良い場合がある。そこで、実施例３では、通信端末から利用者が離れた場所に移動した場合、表示端末が表示する表示画像を汎用性画像に切替える例を説明する。
【００６７】
［実施例３に係る表示システムの構成］
図７を用いて、実施例３に係る表示システム６０の構成を説明する。図７は、実施例３に係る表示システムの構成を示すブロック図である。実施例３に係る表示システム６０は、通信端末７０と表示端末８０とを有する。なお、ここでは、図１に示した各部と同様の役割を果たす機能部については、同一符号を付すことにしてその詳細な説明を省略する。
【００６８】
［通信端末７０の構成］
通信端末７０は、記憶部２１、第一通信部２２、第二通信部２３、入力部２４、出力部２５、画像送信部２６、汎用性パラメタ計算部２７、汎用画像送信部２８、利用者検知部７９を有する。なお、ここでは、図１に示した各部と同様の役割を果たす機能部については、同一符号を付すことにしてその詳細な説明を省略する。
【００６９】
利用者検知部７９は、例えば、ジャイロセンサーを有し、通信端末７０を操作する利用者の動作を検出する。利用者検知部７９は、利用者の動作を検出できないと判定した場合、第一通信部２２を介して表示端末８０に利用者の動きを検出できないことを通知する。なお、利用者検知部７９は、利用者の動作を検出できれば、ジャイロセンサーではなく、例えば、触覚センタやカメラなどを有していてもよい。
【００７０】
［表示端末８０の構成］
表示端末８０は、電子ペーパー３１、頁書換スイッチ３２、表示画像バッファ３４、汎用表示画像バッファ３５、表示タイマー３６、書換制御部３７、通信部８３を有する。なお、ここでは、図１に示した各部と同様の役割を果たす機能部については、同一符号を付すことにしてその詳細な説明を省略する。
【００７１】
通信部８３は、実施例１で説明した通信部３３が有する機能に加え、さらに以下の機能を有する。例えば、通信部８３は、利用者検知部７９から利用者の動作を検出できないことを通知された場合、書換制御部３７に、通信端末７０を操作する利用者の動きを検出できないことを通知する。この結果、書換制御部３７は、連携が解消されたと判定し、汎用表示画像バッファ３５に記憶されている汎用性画像を読み出して、電子ペーパー３１に表示させる。
【００７２】
［処理手順］
次に、図８を用いて、実施例３に係る表示システムによる処理の処理手順を説明する。図８は、実施例３に係る表示システムによる処理の処理手順を説明する図である。なお、この処理は、通信端末７０が利用者から表示コンテンツの取得を受付けたことを契機に開始する。
【００７３】
図８に示すように、通信端末７０は、外部の装置から表示コンテンツを取得する（ステップＳ４０１）。通信端末７０は、取得した表示コンテンツの取得履歴、取得方法を参照する（ステップＳ４０２）。例えば、通信端末７０は、取得した画像の取得方法を参照し、画像属性ＤＢ２１ｂの「取得属性」に格納する。
【００７４】
通信端末７０は、表示端末用の画像を作成する（ステップＳ４０３）。また、通信端末７０は、汎用性パラメタの算出処理を実行する（ステップＳ４０４）。通信端末７０は、算出した汎用性パラメタを画像に付与し（ステップＳ４０５）、画像属性ＤＢ２１ｂの「汎用性パラメタ」に算出した値を格納する。
【００７５】
続いて、表示端末８０は、利用者からページの切替えを受付けた場合、通信端末７０に画像を要求する（ステップＳ４０６）。通信端末７０は、要求信号を受信し（ステップＳ４０７）、要求された画像を送信する（ステップＳ４０８）。また、通信端末７０は、汎用性パラメタが上位の画像を選択し、選択した画像を汎用性画像として表示端末８０に送信する（ステップＳ４０９）。
【００７６】
表示端末８０は、要求した画像を受信し（ステップＳ４１０）、受信した要求画像を表示する（ステップＳ４１１）。また、表示端末８０は、汎用性画像を通信端末７０から受信する（ステップＳ４１２）。通信端末７０は、利用者を検出できるか否かを判定し（ステップＳ４１３）、利用者を検出できないと判定した場合（ステップＳ４１３、Ｙｅｓ）、画像を汎用性画像に切換えて表示する（ステップＳ４１４）。通信端末７０は、利用者を検出できると判定した場合（ステップＳ４１３、Ｎｏ）、引き続き、利用者を検出できるか否かを判定する。
【００７７】
［実施例３の効果］
上述してきたように、本実施例に係る表示システム６０では、通信端末７０を操作する利用者を検出できるか否かを判定することで、通信端末７０と表示端末８０との連携が解消したか否かを判定する。そして、表示システム６０は、通信端末７０を操作する利用者を検出できない場合、通信端末７０と表示端末８０との連携が解消したと判定し、汎用表示画像バッファ３５に記憶されている画像を電子ペーパー３１に表示させる。すなわち、表示システム６０は、連携が解消した場合、表示画像を選択することができる。
【実施例４】
【００７８】
ところで、本願の開示する表示システムは、上述した実施例以外にも、種々の異なる形態にて実施されてよい。そこで、実施例４では、本願の開示する表示システムの他の実施例について説明する。
【００７９】
（システム構成等）
本実施例において説明した各処理のうち自動的に行われるものとして説明した処理の全部または一部を手動的に行うこともできる。あるいは、手動的に行われるものとして説明した処理の全部又は一部を公知の方法で自動的に行うこともできる。この他、上記文章中や図面中で示した処理手順、制御手順、具体的名称については、特記する場合を除いて任意に変更することができる。
【００８０】
また、図示した画像属性ＤＢ２１ｂとして記憶される情報は一例に過ぎず、必ずしも図示のごとく情報が格納される必要はない。例えば、画像属性ＤＢ２１ｂとして記憶される情報は、「取得属性」と「汎用性パラメタ」とのみを記憶するようにしてもよい。
【００８１】
また、本実施例において汎用性パラメタは、汎用性パラメタ計算部２７によって算出されるものとして説明したが、これに限定されるものではない。例えば、汎用性パラメタは、入力部２４を介して利用者から任意に設定することも可能である。この場合、利用者は、選択した画像の汎用性パラメタを恣意的に高く設定する。例えば、利用者が目的地までの経路を示した地図を取得し、取得した地図の汎用性パラメタを恣意的に高く設定する。この結果、表示端末には、目的地までの経路を示した地図を表示することができるので、利用者は、目的地までの経路を示した地図を再検索する手間を省くことができる。
【００８２】
また、利用者は、広告用の画像の汎用性パラメタを恣意的に高く設定するようにしてもよい。この場合、取得画像を表示した後に、広告用の画像を表示させることで、アフィリエイトに利用することもできる。
【００８３】
また、例えば、携帯電話本体の背面に表示デバイスとして電子ペーパーを設けることで、所定時間の経過後に、利用者が設定したデザインを電子ペーパーに表示させるようにしてもよい。
【００８４】
また、開示技術は、表示デバイスとして電子ペーパーを含んだ表示端末を携帯端末と連携させた表示システムとして説明したが、これに限定されるものではない。例えば、有機ＥＬや液晶パネルの軽量化、薄型化に伴い、表示デバイスとして有機ＥＬや液晶パネルを含んだ表示端末が利用される。このような表示端末と携帯端末とを連携させた表示システムにおいても本願は適用可能である。
【００８５】
また、図示した各構成部は、機能概念的なものであり、必ずしも物理的に図示のごとく構成されていることを要しない。例えば、通信端末２０は、汎用性パラメタ計算部２７と汎用画像送信部２８とは統合されてもよい。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【００８６】
（プログラム）
ところで、上記実施例で説明した各種の処理は、あらかじめ用意されたプログラムをパーソナルコンピュータやワークステーションなどのコンピュータシステムで実行することによって実現することができる。そこで、以下では、上記実施例と同様の機能を有するプログラムを実行するコンピュータシステムの一例を説明する。
【００８７】
図９は、画像選択プログラムを実行するコンピュータを示す図である。図９に示すように、コンピュータ３００は、利用者からデータや各種設定などを受け付ける入力装置３１０と、コンピュータの状況などを通知する出力装置３２０とを有する。また、コンピュータ３００は、他の装置と例えばＬＡＮでデータを送受信する第一ネットワークインターフェース３３０と、他の装置と例えばBluetooth（登録商標）などの無線通信でデータを送受信する第二ネットワークインターフェース３３１とを有する。また、コンピュータ３００は、媒体読取装置３４０とＲＡＭ３５０とＲＯＭ（Read  Only  Memory）３６０とＣＰＵ３７０とバス３８０とを有する。そして、各装置３１０〜３７０それぞれは、バス３８０に接続される。
【００８８】
ここで、図９に示すように、ＲＯＭ３６０には、図１に示した、汎用性パラメタ計算部２７と汎用画像送信部２８と同様の機能を発揮する画像選択プログラム３６１が予め記憶されている。そして、ＣＰＵ３７０は、画像選択プログラム３６１をＲＯＭ３６０から読み出して、画像選択プロセス３７１として実行する。すなわち、画像選択プロセス３７１は、図１に示した、汎用性パラメタ計算部２７と汎用画像送信部２８と同様の動作を実行する。
【００８９】
図１０は、画像切替プログラムを実行するコンピュータを示す図である。図１０に示すように、コンピュータ４００は、利用者からデータや各種設定などを受け付ける入力装置４１０と、コンピュータの状況などを通知する出力装置４２０とを有する。また、コンピュータ４００は、他の装置と例えばBluetooth（登録商標）などの無線通信でデータを送受信するネットワークインターフェース４３０と媒体読取装置４４０とＲＡＭ４５０とＲＯＭ４６０とＣＰＵ４７０とバス４８０とを有する。そして、各装置４１０〜４７０それぞれは、バス４８０に接続される。
【００９０】
ここで、図１０に示すように、ＲＯＭ４６０には、図１に示した、通信部３３、書換制御部３７と同様の機能を発揮する画像切替プログラム４６１が予め記憶されている。そして、ＣＰＵ４７０は、画像切替プログラム４６１をＲＯＭ４６０から読み出して、画像切替プロセス４７１として実行する。すなわち、画像切替プロセス４７１は、図１に示した、通信部３３、書換制御部３７と同様の動作を実行する。
【００９１】
ところで、上記した画像選択プログラム３６１は、必ずしもＲＯＭ３６０に記憶させておく必要はない。同様に、画像切替プログラム４６１は、必ずしもＲＯＭ４６０に記憶させておく必要はない。例えば、コンピュータ３００、コンピュータ４００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」に記憶させておくようにしてもよい。また、コンピュータ３００、コンピュータ４００の内外に備えられるハードディスクドライブ（ＨＤＤ）などの「固定用の物理媒体」に記憶させておいてもよい。さらに、公衆回線、インターネット、ＬＡＮ（Local  Area  Network）、ＷＡＮ（Wide  Area  Network）などを介してコンピュータ３００、コンピュータ４００に接続される「他のコンピュータシステム」に記憶させておいてもよい。そして、コンピュータ３００、コンピュータ４００がこれらからプログラムを読み出して実行するようにしてもよい。
【００９２】
すなわち、このプログラムは、上記した「可搬用の物理媒体」、「固定用の物理媒体」、「通信媒体」などの記録媒体に、コンピュータ読み取り可能に記憶されるものである。そして、コンピュータ３００、コンピュータ４００は、このような記録媒体からプログラムを読み出して実行することで上記した実施例と同様の機能を実現する。なお、この他の実施例でいうプログラムは、コンピュータ３００、コンピュータ４００によって実行されることに限定されるものではない。例えば、他のコンピュータシステムまたはサーバがプログラムを実行する場合や、これらが協働してプログラムを実行するような場合にも、本発明を同様に適用することができる。
【符号の説明】
【００９３】
１０、４０、６０  表示システム
２０、７０  通信端末
２１  記憶部
２１ａ  取得画像ＤＢ
２１ｂ  画像属性ＤＢ
２２  第一通信部
２３  第二通信部
２４  入力部
２５  出力部
２６  画像送信部
２７  汎用性パラメタ計算部
２８  汎用画像送信部
３０、５０、８０  表示端末
３１  電子ペーパー
３２  頁書換スイッチ
３３、５３、８３  通信部
３４  表示画像バッファ
３５  汎用表示画像バッファ
３６  表示タイマー
３７  書換制御部
３００、４００  コンピュータ
３１０、４１０  入力装置
３２０、４２０  出力装置
３３０  第一ネットワークインターフェース
３３１  第二ネットワークインターフェース
３４０、４４０  媒体読取装置
３５０、４５０  ＲＡＭ
３６０、４６０  ＲＯＭ
３７０、４７０  ＣＰＵ
３８０、４８０  バス
４３０  ネットワークインターフェース
【図１】
0005724447.tif 000002
【図２】
0005724447.tif 000003
【図３】
0005724447.tif 000004
【図４】
0005724447.tif 000005
【図５】
0005724447.tif 000006
【図６】
0005724447.tif 000007
【図７】
0005724447.tif 000008
【図８】
0005724447.tif 000009
【図９】
0005724447.tif 000010
【図１０】
0005724447.tif 000011